(57)【要約】  材料、特に粉末状の材料用、好ましくは洗濯用又は掃除用の粉末のための粉末密封箱であって、その箱は、折り目によって区切られた連続した造りの少なくとも１つの裏面（１０）、１つの前面（２）、及び二つの側面（３）を含む、少なくとも一つの折り曲げ可能なカット部材により構成される。カット部材は、箱を構成するために、閉じて管形状になり、上端（１）と下端（１２）とを閉じて箱の上面と底面とを構成する少なくとも一つの上フラップ（５，６，７）と少なくとも一つの底フラップ（１３，１４，１５）とを含む。上フラップと底フラップはそれぞれ、前面、裏面及び／又は側面の上端と下端との外周に、折り目を介して、それぞれ隣接する。箱は、それぞれ八角形の底面（１２）と上面（１）を有する。折り曲げ可能なカット部材は、追加側面領域（４）を含む。追加側面領域は、閉じた管形状において、追加側面領域の一つが裏面（１０）及び各側面（３）の間と前面（２）及び各側面（３）の間にあり、追加側面領域の２つの下側の角がそれぞれ底面（１２）の角の２つを形成し、追加側面領域の２つの上側の角がそれぞれ上面（１）の角の２つを形成するように、配置される。
2008505817.tif 000002
【特許請求の範囲】
【請求項１】
材料、特に粉末状の材料、好ましくは洗濯用又は掃除用の粉末のための粉末密封箱であって、
箱は、折り目によって区切られた連続した造りの少なくとも１つの裏面（１０）、１つの前面（２）、及び二つの側面（３）を含む、少なくとも一つの折り曲げ可能なカット部材により構成され、
そのカット部材は、箱を構成するために、閉じて管形状になり、上端（１）と下端（１２）とを閉じて箱の上面と底面とを構成する少なくとも一つの上フラップ（５，６，７）と少なくとも一つの底フラップ（１３，１４，１５）とを含み、
前記上フラップと前記底フラップは、前面、裏面及び／又は側面の上端と下端の外周に、折り目を介して、それぞれ隣接し、
箱の底面（１２）と上面（１）はそれぞれ八角形に形成され、折り曲げ可能なカット部材は、追加側面領域（４）を含み、
前記追加側面領域は、閉じた管形状において、追加側面領域の一つが裏面（１０）と各側面（３）の間と前面（２）と各側面（３）の間にあり、前記追加側面領域の２つの下側の角がそれぞれ底面（１２）の角の２つを形成し、前記追加側面領域の２つの上側の角がそれぞれ上面（１）の角の２つを形成するように、配置される、粉末密封箱。
【請求項２】
前記追加側面領域（４）は、側面（３）の幅と比較して狭く、斜めの面である、請求項１に記載の粉末密封箱。
【請求項３】
前記追加側面領域（４）は、閉じた管形状において、隣接した側面（３）と裏面（１０）又は前面（２）とに対して約１３５度の角度を持つ、請求項１又は請求項２に記載の粉末密封箱。
【請求項４】
折り曲げ可能なカット部材において、２つの上フラップ（５，６，７）の間及び／又は２つの底フラップ（１３，１４，１５）の間にあるダストフラップ（１８）が、上面（１）及び／又は底面（１２）の方に、折り目を介して、前記追加側面領域（４）に取り付けられる、請求項１から請求項３のいずれかの請求項に記載の粉末密封箱。
【請求項５】
平らな折り曲げ可能なカット部材において、前記ダストフラップ（１８）は、前記上フラップ（５，６，７）及び／又は前記底フラップ（１３，１４，１５）と、実質的に連続して互いに隣り合う、請求項４に記載の粉末密封箱。
【請求項６】
前記ダストフラップ（１８）は、前記追加側面領域（４）を実質的に直線状に長くする、請求項５に記載の粉末密封箱。
【請求項７】
前記ダストフラップ（１８）は、斜めに延びる方向に前記追加側面領域（４）を長くする、請求項６に記載の粉末密封箱。
【請求項８】
前記側面（３）の上フラップ（７）及び／又は底フラップ（１５）は、前記ダストフラップ（１８）に必要な領域のために、実質的にほぼＴ形状である、請求項６又は請求項７に記載の粉末密封箱。
【請求項９】
裏面（１０）及び／又は前面（２）の上フラップ（５，６）及び／又は底フラップ（１３，１４）は、それらの自由端の方向に舌状のようにより狭くなるように作られた領域よりも、裏面及び／又は前面に関する境界領域においてダストフラップ（１８）に必要な領域のために活字のひげ飾り（serif）の様な形状のようにより広く作られる、請求項６から請求項８のいずれかの請求項に記載の粉末密封箱。
【請求項１０】
折り曲げ可能なカット部材は、管形状を形成するために継ぎ目領域において接着される、請求項１から請求項９のいずれかの請求項に記載の粉末密封箱。
【請求項１１】
接着結合と継ぎ目領域の形成のために接着フラップ（１９）が設けられる、請求項１０に記載の粉末密封箱。
【請求項１２】
前記接着フラップ（１９）は、追加側面領域を持たない前面（２）又は裏面（１０）の周辺に折り目を介して設けられる、請求項１１に記載の粉末密封箱。
【請求項１３】
開封帯（８）が折り曲げ可能なカット部材に組み込まれ、且つ前記開封帯（８）は実質的に上面（１）と平行になるように延びる、請求項１から請求項１２のいずれかの請求項に記載の粉末密封箱。
【請求項１４】
前記開封帯（８）は、部材を弱める線（material weakening lines）により、境界が定められる、請求項１３に記載の粉末密封箱。
【請求項１５】
前記開封帯（８）の一端につまみ（１１）を設ける、請求項１３又は請求項１４に記載の粉末密封箱。
【請求項１６】
前記つまみ（１１）は、ほぼ親指の爪の大きさである、請求項１５に記載の粉末密封箱。
【請求項１７】
フラップヒンジ領域（２１）は開封帯（８）に占有されず、上端（１）が裏面（１０）に接続されたままである、請求項１３から請求項１６のいずれかの請求項に記載の粉末密封箱。
【請求項１８】
実質的に管形状に合致する内部フレーム（２０）を有する、請求項１から請求項１７のいずれかの請求項に記載の粉末密封箱。
【請求項１９】
前記内部フレーム（２０）は、上面の方向に開封帯（８）からはみ出ており、且つ前記開封帯により損傷を受けないままである、請求項１３又は請求項１８に記載の粉末密封箱。
【請求項２０】
前記内部フレーム（２０）は、前記折り曲げ可能なカット部材に含まれる、請求項１８又は請求項１９に記載の粉末密封箱。
【請求項２１】
前記内部フレーム（２０）は、別の折り曲げ可能なカット部材により形成される、請求項１８又は請求項１９に記載の粉末密封箱。
【請求項２２】
前記内部フレーム（２０）は、前記管形状に接着接合される、請求項２０又は請求項２１に記載の粉末密封箱。
【請求項２３】
前記上面（１）を再度閉じるためにスナップ／戻り止め連結部を設ける、請求項１７に記載の粉末密封箱。
【請求項２４】
前記スナップ／戻り止め連結部は、前記フラップヒンジ（２１）から離れて対向する上面（１）の側面に設けられる、請求項２３に記載の粉末密封箱。
【請求項２５】
キャリングハンドル（１６）を（上面に）有する、請求項１から請求項２４のいずれかの請求項に記載の粉末密封箱。
【請求項２６】
実質的に、ボール紙及び／又は板紙で形成される、請求項１から請求項２５のいずれかの請求項に記載の粉末密封箱。
【請求項２７】
粉末密封箱の少なくとも一部は、段ボールで形成される、請求項２６に記載の粉末密封箱。
【請求項２８】
前記内部フレーム（２０）は、段ボールで形成される、請求項２７に記載の粉末密封箱。
【請求項２９】
前記粉末密封箱が直立したときに、前記段ボールの波頂が垂直方向に延びる、請求項２７又は請求項２８に記載の粉末密封箱。
【請求項３０】
請求項１から請求項２９の記載の１以上の特徴を含む、請求項１に記載の粉末密封箱用の折り曲げ可能なカット部材。
【発明の詳細な説明】
【技術分野】
【０００１】
本発明は、材料、特に粉末状の材料、好ましくは洗濯用又は掃除用の粉末のための粉末密封箱に関する。粉末密封箱は、少なくとも１つの折り曲げ可能なカット部材により構成される。そのカット部材は、折り目によって境界が定められた連続した形状の、少なくとも１つの裏面、１つの前面、及び２つの側面を含み、箱を構成するために、閉じられて管形状になる。このカット部材は、上端と下端を閉じて箱の上面と底面とを構成するために、少なくとも１つの上フラップと少なくとも１つの底フラップとを含み、上フラップと底フラップはそれぞれ、前面、裏面、及び／又は側面の上端と下端の外周に、折り目を介して、隣接する。
【０００２】
本発明は、さらに上述の粉末密封箱の折り曲げ可能なカット部材に関する。
【背景技術】
【０００３】
このような箱は、数十年間、特に洗剤の粉末用として立方形状で売られていた。また、このような箱は、例えばパン粉やコーンフレークなどの流し込みやすい食料のために使用されている。
【０００４】
この種の箱は、いわゆる「ラップアラウンド」カット部材により構成される箱と区別され、特に、例えば洗剤のタブレットのような造粒物のために用いられる。箱に入れられるタブレットは、例えば、折り曲げ可能なカット部材の底に積み重なるように置かれ、カット部材は、箱を閉じて造粒物を包むために、いわば造粒物を巻いて折り曲げられて、その箱は閉じられる。この種の箱は、特に粉末を密封しなくても良い。
【発明の開示】
【発明が解決しようとする課題】
【０００５】
一方、その種の箱の場合、まず、一面のみを開放したままで箱の空間が作られ、注ぎやすい材料で満たされ、その後、最後の一面（及びこれにより全体の箱）が閉じられる。そのために、カット部材からまず管形状が作られ、それから底面が閉じられる。それから、材料が入れられて、最後に上面が閉じられる。しかしながら、原理上は、材料が入れられた後に、例えば側面を最後に閉じることも可能である。
【０００６】
本発明は、上述した種類の箱の取り扱いに関して、その箱を改善することを目的とする。
【課題を解決するための手段】
【０００７】
この目的は本発明により達成される。本発明において、箱の底面と上面はそれぞれ八角形に具体化され、折り曲げ可能なカット部材は、追加側面領域を囲む。追加側面領域は、閉じた管形状において、追加側面領域の一つが、裏面と各側面との間、及び前面と各側面との間にあり、追加側面領域の二つの下側の角は、それぞれ底面の角の二つを形成し、追加側面領域の二つの上側の角は、それぞれ上面の角の二つを形成するように、配置される。
【０００８】
その結果、本発明の箱は上面と底面が八角形の形状を有利に得て、箱の本体は８つの面を相応じて示す。この結果、好ましくは、側面は立法形と比較して狭くなり得る。言い換えると、特に洗濯用の洗剤や掃除用の粉末を入れるための箱は、片手で箱の側面から、棚からおろすことができるサイズを有するため、本発明の箱を掴みやすくなる。また一方、本発明によれば、一つの側面とそこに隣接する二つの追加側面領域により構成される側面の領域は、（曲がった裏面であるため）握る手の円い形状により良く合致し、側面の領域においてより狭く、特にそれほど角張っていないため快適に持てるため、箱を掴みやすくする。女性は平均的に男性より幾分か小さい手を持つので、これは特に女性に有利である。
【０００９】
例えば、商業施設から家庭まで箱を運ぶときに、通常、このような箱は、買い物袋や手提げ袋などに入れられる。このような袋は、たいてい、片手でぶら下げられて、運ばれる。このような状況において、箱を入れた袋が箱を運ぶ人の脚にあたることがしばしば起きることが知られている。本発明の箱は、この点においてもさらに快適であり、底面と上面の八角形の形状により縁が平たくされているため、縁はもはや鋭くなく、当たった瞬間に不快になることをより低減する。それにひきかえ、するどい直角の縁は確実に人を怒らせる。直角の四面体の角の形状は形成されず、その代わりに八角形の形状において、平らな角は、場合によっては鈍角を持つので、本発明の箱によれば、特にそれぞれの角は尖っていない。幾何学的に９０℃より大きな角を示す「鈍角」という表現は、実際は現状の事柄において、傷害の危険に関して「鈍い」を意味する。
【００１０】
しかしながら、本発明の箱は、他の状況においても掴みやすい。８個の垂直の縁と面があるので、本発明の箱は、特にパレットに、さらに安定した形状で、積み重ねることができる。積み重ねるのに必要な面積が大きくならず、実際には角の領域において実質的に小さくなる。長方形の形状と比較して角がより小さい八角形の形状が、長方形の形状と同じ容量を維持するには、それなりに高さをより高くしなければならない。しかしながら、実際には、このような箱は上面までいっぱいに詰め物が満たされることはなく、詰め物を満たす技術に関しては特に簡単であるので、箱自身の高さ、例えば外形寸法を変更することなく、箱の内側の目盛りを容易に変更することできる。この点については、本発明の箱は都合よく、収容量について変更することは何もない。ドイツでは、ＤＩＮ５５５４０に関連して、目盛りが設けられる。
【００１１】
本発明の箱の好ましい実施形態において、追加側面領域は、側面の幅と比較して狭い幅を持ち、斜面を形成する。それ故に、これは、立方形の形状と比較して、実際は実質的に縁のみが平らになり、すなわち、各垂直の縁は、互いに遠く離れていない間隔の２つの縁によって置き換えられる、ということを意味する。これは、本発明の箱のつかみやすさと積み上げやすさをかなり改善する。閉じた管形状において、追加側面領域は、好ましくは、追加側面領域に隣接した側面、並びに裏面及び前面に対して約１３５度の角度を持つ。これにより、追加側面領域は、角と縁の領域において、隣接した面に対して比較的に大きな鈍角を形成する。従来の立法形の箱や従来の上面と底面が長方形の箱と比べると、追加側面領域の面は、約４５度で斜めに垂直の縁に交差する。
【００１２】
本発明の次の開発は、折り曲げ可能なカット部材において、２つの上フラップ及び／又は２つの底フラップの間にそれぞれあるダストフラップ（dust flaps）を、折り目を介して上面及び／又は底面の方向に、追加側面領域に取り付けたことである。本発明のこの特徴は、特に追加側面領域内で粉末密封が保証されることを確実にする。さらに又はこれに代えて、この粉末密封は、他の上フラップ及び／又は底フラップの適切に切断された輪郭により、任意に達成され又は援助される。
【００１３】
この開発によれば、上記目的を達成するために、好ましくは、折り曲げ可能に切り取られた平らな部材において、ダストフラップと上フラップ及び／又は底フラップは、実質的に連続して互いに隣接するように作られる。
【００１４】
特に、ダストフラップは、実質的に、直線状にまたは斜めに、追加側面領域を長くすることができる。
【００１５】
また、既に述べたように、他の上フラップ及び底フラップは、上面と底面の八角形の形状を考慮に入れることができる。しかしながら、好ましくは、他の上フラップ及び底フラップは、上フラップ及び底フラップの間で連続する追加のダストフラップを受け入れ、一部分においてダストフラップのまわりに適合するという事実により、他の上フラップ及び底フラップは、追加側面領域のダストフラップに必要な間隔と切断の輪郭を考慮に入れることができる。本発明の好ましい実施形態は、この目的のために、ダストフラップに必要な領域に関して、実質的にＴ形状の側面の上フラップ及び／又は底フラップを提供する。本発明の別の好ましい追加の実施形態は、ダストフラップに必要な領域に関して、裏面及び／又は前面に関する境界領域において、すなわち、それらの折り目の隣接において、自由端の方向に舌状の形状のように、より狭く作られる領域よりも、活字のひげ飾り（serif）形状のように、より広く作られた裏面及び／前面の上フラップ及び／又は底フラップを提供する。
【００１６】
折り曲げ可能なカット部材は、好ましくは、管形状を構成するために、継ぎ目を接着される。接着フラップは、好ましくはこの目的のために設けられる。接着フラップは、特に、折り目を介して、追加側面領域を備えない前面又は裏面の周囲に配置される。本発明の箱は、詰め物が満たされる前に、側面の継ぎ目を接着される。好ましくは、継ぎ目の太いほうの縁が箱の垂直の縁に位置するように、接着フラップと追加側面領域とが接着により互いにかぶさるように、側面の継ぎ目を接着される。もちろん、それにもかかわらず、他の接着、特に、裏面の領域内を含む接着が可能である。しかしながら、好ましくは、接着は、継ぎ目が箱の取り扱いをできるだけ妨げないようにして、成し遂げられるべきである。
【００１７】
本発明の箱の他の開発は、実質的に上面に平行で、折り曲げ可能なカット部材に組み込まれる、開封帯を提供することにある。それ故、箱は、密封され且つ詰め物が満たされた形状で使用可能であり、開封帯を引き剥がし、箱を見るからに開封する消費者により、意図的に開封される。引き剥がされた開封帯において、上面は特に掴みやすく、例えば指先又は指の爪で、開封することができる。引き剥がしをより簡単にするために、開封帯は好ましくは、部材を弱める線により、境界を定められる。開封帯をつまむために、つまみが開封帯の一端に設けられる。このつまみは、好ましくは、確実に且つ簡単につかみやすくするために十分に大きく作られる。このつまみは、特におよそ親指サイズにできた。このつまみを掴むことは、ユーザ側の特別な微細運動能力を必要としない。これは、高齢者に特に有利である。その結果、開封帯は、視覚的に見つけやすい。打ち出され又は打ち抜かれた領域がつまみにさらに設けられ、触覚特性を良くする。
【００１８】
本発明の次の開発は、フラップヒンジ領域を提供することにある。フラップヒンジ領域は、上面が裏面に接続されたままで、開封帯により占有されていない。これは、好ましくは（もちろん原則として可能である）完全に動かされることが必要な上面と比較して、フラップトップを再び開閉し易くする。
【００１９】
本発明の他の開発は、実質的に管形状に適合する内部フレームを含む箱を提供する。この種の内部フレームは、安定性と粉末密性に関して、さらに本発明の箱を改善する。
【００２０】
開発は、開封帯から上面の方にはみ出ており、且つ開封帯により損傷を受けないままである内部フレームを提供する。内部フレームは、２つの同時の利点を提供する。内部フレームは、上面からある一定の距離にある開封帯を超えて突出しているので、上面は、いわゆる、再度閉じるときの内部フレームの突き出た位置にすべることにより、再度しっかりと閉じることができる。これに関連して、ヒンジ動作の障害を防ぐために、ヒンジで連結された上面が回転する経路に従って、内部フレームに丸みを付けることができる。そのうえ、内部フレームは、開封帯により影響を受けないままであるので、内部フレームはこの領域で確実に封をしたままである。特に、再度閉じられる上面で、一種のラビリンスシールを形成する。
【００２１】
内部フレームは、全体の箱の折り曲げ可能なカット部材の一部である。本発明の箱は、いわゆる実質的な領域に２つの層を持つ、一つの折り曲げ可能なカット部材により構成される。しかしながら、折り曲げ可能なカット部材は、外側ケース用と内部フレーム用の個々の折り曲げ可能なカット部材を備えた、２つの別個のパーツにより構成されることもできる。これらの２つの個々の事例において、内部フレームを接着して管形状にすることが好ましい。
【００２２】
本発明のさらなる開発は、上面を再度閉じるためにスナップ／戻り止め連結部を設けることであり、スナップ／戻り止め連結部は、特に、フラップヒンジから離れて対向する上面の領域に設けられる。再閉鎖は結果的に前面の領域で成し遂げられるので、フラップヒンジは、好ましくは箱の裏面に配置されるべきである。しかしながら、さらに又はこれに代えて、このような閉鎖手段は、確実に側面の領域に設けることもできた。
【００２３】
本発明の箱は、好ましくは箱を運ぶためになるべく上面の領域に、キャリングハンドルを有する。このキャリングハンドルは、折り曲げ可能なカット部材自身の付加領域により再度構成されることができた。しかしながら、好ましくは、側面の上側の領域の両端で、帯状のキャリングハンドル、すなわち、一種の弓形の取っ手が、ヒンジ式に回転するように取り付けられる。この種のキャリングハンドルは、材料を倹約し、経済的な、丈夫な造りに、例えばプラスチックの一片により、具体化され得る。このプラスチックの一片は、例えば、粉末密封形状の側面に、鋲締めされ得る。もちろん、この種のキャリングハンドルを構成する他の多くの可能性が考えられる。
【００２４】
箱は、好ましくは実質的にボール紙及び／又は板紙により形成される。箱の少なくとも一部は、段ボールで作ることができる。特に、好ましくは、内部フレームは段ボールで作られ、箱が直立したときに、段ボールの波頂が好ましくは垂直方向に延びる。この構成により、箱の積み重ねの安定性がさらに高まる。この段ボールの一つの“波”は、例えば、およそ１ｍｍの波高及び／又は１／２波長を持つことができる。これは、一方で非常に良い安定性と、他方で箱の内部容量に悪影響を与えるような、特に内部フレームのための材料の過度の適用を避けることをもたらす。もちろん、他の寸法を持つ多数の他のタイプも考えられる。
【００２５】
本発明の箱を構成するための折り曲げ可能なカット部材の独立した保護が請求される。
【発明を実施するための最良の形態】
【００２６】
図１は、粉末材料用の本発明の箱の典型的な実施形態の斜視図である。
【００２７】
図１では、箱の上面１、前面２、及び側面３が見えている。上面１と、対応する底面（不可視）とは、八面又は八角形の二次元形状を有する。それゆえ、上面１と底面との間に延びる箱の本体又はカバーは、八面体として具体化されており、前面２、裏面（不可視）及び２つの側面３だけでなく、追加側面領域４を有する。図１においては、２つの追加側面領域４が見えている。これらの可視の追加側面領域４は、前面２とそれぞれの側面３との間に配置されている。
【００２８】
立方形状と比較して、箱の本体又はカバーの垂直縁は、前面２と側面３と裏面（不可視）に対して１３５度の角度で囲む追加側面領域４により、いわば切断されている。言い換えれば、立方形状の想像上の縁は、これらの追加側面領域４により、４５度の角度で、いわば切断又は対角線上に平たくされている。追加側面領域４は、前面２及び裏面と側面３と比較して相対的に狭いので、前述の立方形状の想像上の垂直の縁の面取りのように見える。
【００２９】
箱の上面１は、上フラップにより形成され、閉じられている。図１では、前面２の１つの上フラップ５、裏面の１つの上フラップ６、及び側面３の２つの上フラップ７が見えている。
【００３０】
図１から、２つの部材を弱める線９により境界を定められた開封帯８が上面１と平行に延びていることが、明らかである。
【００３１】
図２は、図１の箱の正面図である。図２において、特に、前面２と前面２に隣接する追加側面領域４とが開封帯８と共に見えている。
【００３２】
開封帯８が引き剥がされると、箱を開口するためにヒンジで連結された上面が形成されている。ヒンジで連結された上面は、実際の上面１と、その上面１に隣接し且つ開封帯８の上側の部材を弱める線９まで延びる前面２の上部２ａ、追加側面領域４の上部３ａ、及び側面３の上部４ａと、により形成される。
【００３３】
図３は、図１の箱の背面図である。図３においては、箱の裏面１０及び裏面１０に隣接する追加側面領域が特に見えている。また、開封帯８の両端が見えており、開封帯８の一端はおよそ親指サイズのつまみ１１として具体化されている。開封帯８の両端は、裏面１０に隣接する追加側面領域４の中に向かってのみ延び、裏面１０から完全に遠ざけられる。箱に使用される材料の剛性に応じて、フィルムヒンジを構成するフラップヒンジは、箱のヒンジで連結された上面が上方向に回転されるときに、開封帯８の高さで、裏面１０の領域内に構成される。好ましくは、箱を構成するのに、板紙が用いられる。フラップヒンジは、板紙が最初に上方向に回転されるときに、ねじれと折り目の形状で形成され、その後に続いて起こる上面の開放と再閉鎖を容易にする。きとんと範囲が決められた、ヒンジで連結されたフラップ領域のために、裏面の所望の領域とできれば追加側面領域の一部とにおいて、箱の材料に溝を掘るなどして、箱の材料を予め弱め又は変更することができる。
【００３４】
図４及び図５は、箱の側面３及び箱の側面３に隣接する追加側面領域４を示す。
【００３５】
図６及び図７は、図１の箱のカバー１と箱の底面１２の上面図をそれぞれ示す。図７により、底面１２が、上フラップ５〜７に対応する底フラップ１３〜１５により構成されることが明らかである。
【００３６】
図８は、図１の箱の変形の実施形態の斜視図である。この典型的な実施形態において、箱はキャリングハンドルを構成する弓形の取っ手１６をさらに有する。取っ手１６の端は、例えばリベットを使って、側面３の領域内に取り付けられて、回転軸となる。
【００３７】
他の点において、図８の箱は図１の箱と同じであり、図９〜１４は図２〜７に対応する。同一の構成要素は、上述した図と同じ参照符号が付けられている。
【００３８】
図１５は、図１の箱を構成する折り曲げ可能なカット部材の上面図である。ここでも、同一の構成要素は図１と同じ参照符号が付けられている。
【００３９】
さらに、図１５から、箱の粉末密封を改善する又は確実にするために、中間の追加側面領域４は、上フラップ５〜７間にあり且つ隅で上面１の形成に貢献するダストフラップ１８を有することが、明らかである。これらのダストフラップ１８は、上フラップ５〜７の真下に配置されて、上フラップ５〜７により完全に覆われているので、完成した箱の状態の図１では見えない。ダストフラップ１８は、上面１と対応するように、追加側面領域の底部の底フラップ１３〜１５間にも配置される。
【００４０】
上フラップ５〜７と底フラップ１３〜１５が相対的に連続して互いに隣り合い、しかしそれでもなお、図１５の典型的な実施形態において、ダストフラップ１８が構成要素となり且つ適合し得ることを確実にするために、側面３の上フラップ７と底フラップ１５は実質的にＴ形状に形成される。追加側面領域４を実質的に直線状に上面と底面の方向に長くするダストフラップ１８を配慮して、上フラップ７と底フラップ１５とを示す、このＴ形状は、結局切り抜きに起因する。
【００４１】
図１５に示されるように、カット部材から管形状を生成するために、右側周辺の追加の接着フラップ１９が最も左の追加側面領域４に接着され得ることが、図１５のカット部材から明らかである。この接着フラップ１９は、両端にダストフラップ１８を有する。さらに、接着フラップ１９は実質的におよそ追加側面領域４と一致する。
【００４２】
好ましくは、図１の箱の外側のケースのみ、図１５のカット部材により形成される。一例として、図１５のカット部材に合致する型で図１６の上面図に図示されるような内部フレームが使用されて、特に外側のケース又は外側のカバーが補強される。この内部フレーム２０は、それらの寸法に関して、図１５のカット部材の対応する領域２、３、４及び１０に合致する領域２’、３’、４’及び１０’を含む。内部フレーム２０のカット部材の側面３’の一つは、管形状を作るときに２つの側面３’が接着されることにより、形成される。
【００４３】
内部フレーム２０用のこの種のカット部材は、原則として、一体的に且つ補足的に図１５のカット部材に付加でき、内部フレームと外側のカバーを有する管形状は、このカット部材の全体を二度折りたたむことにより、実質的に構成され得る。しかしながら、図１５及び図１６に示すように、２つの部分に分けられた態様が好ましい。
【００４４】
図１５及び図１６に関して、さらに、図１５のカット部材において、およそ開封帯８の高さに配置され且つヒンジで連結された上面用のフィルムヒンジの範囲をすでに規定する、ある種の弱化線や圧痕２１が裏面１０の領域内に示されることに注目しても良い。内部フレーム２０は開封帯を持たず、図１５のカット部材の開封帯８による影響を受けない。内部フレーム２０の領域２’、３’、４’及び１０’の垂直の大きさは、図１５のカット部材の領域２，３，４及び１０の垂直の大きさに実質的にほぼ一致するように、設計される。これは、内部フレーム２０のこれらの領域２’、３’、４’及び１０’が開封帯８の高さを超えて突き出すことを意味する。完成した箱の開封帯８が引き剥がされ、それにより、ヒンジで連結された上面が、ヒンジで連結された上面領域２ａ、３ａ及び４ａと共に揺れるとき、内部フレーム２０の上部はヒンジで連結された上面が揺れるときに現れて、特に箱の側面３と前面２を超えて突き出る。箱が内容物で最大に満たされた場合、内部フレームは、ヒンジで連結された上面が開放されているときに、内容物を囲み、保持する。内部フレームは、ヒンジで連結された上面用のラビリンスシールの線に沿って、ガイド及びシーリング材として同時に役立つことができる。
【００４５】
図１７は、図１５のカット部材の内側の面の斜め投影図である。同一の構成要素は、図１５と同じ参照符号が付けられている。しかしながら、明瞭にするために、この図１７は、全ての領域に符号が付けられているわけではない。
【００４６】
図１７に図示されているような位置から、すなわち内側を上向きに、外側を下向きに、及びある種の基板に載せて、折り曲げ可能なカット部材は折り曲げられる。カット部材は、一方では保管と積み重ねて置くために及びできる限り包装機に運ぶために折り曲げられ、他方では図１の箱を構成するために、折り曲げられる。この箱を組み立てるとき、特定の折り曲げステップの後、最後に閉じられる前に、内容物で直ちに満たされる。前述の折り曲げ動作について、図２１〜図２８と共に、さらに詳しく説明する。しかしながら、図２１〜２８の折り曲げ動作においては、図１８〜図２０と共に詳細が説明される折り曲げ可能なカット部材の異なる典型的な実施形態が用いられる。しかしながら、これらの折り曲げ動作は、他の点では図１５〜図１７の折り曲げ可能なカット部材と全く同じように実行される。図１５〜図１７の折り曲げ可能なカット部材により、図１の外観と一致する完成した箱ができる。
【００４７】
図１８〜図２０の折り曲げ可能なカット部材は、原則として、図１と全く同じ外観を持つ箱を形成するが、詳細は図２８の箱に対応する。図１と図２８の比較から明らかなように、上面（及び対応する底面）のそれぞれの実施形態は、いくらか変形されている。この変形は、追加側面領域４のダストフラップ１８のわずかに変形された実施形態と、その結果の上フラップ５〜７のわずかに異なる構成と、これから詳細に説明する図１８〜図２０のカット部材による底フラップ１３〜１５と、による。
【００４８】
図１８と図２０は、図２８の箱の外側のケースのカット部材の第２の典型的な実施形態を示す。このカット部材は、原則として、図１５と図１７のカット部材に対応する。それ故、同じ構成要素には再度同じ参照符号が付けられる。
【００４９】
図１９は、図１６のカット部材に、実際上、正確に一致する内部フレーム２０用のカット部材を示す。一方の図１８と図２０のカット部材と、他方の図１５と図１７のカット部材は、上面と底面の形態のみがわずかに異なるだけであるので、それぞれの内部フレーム２０は、その違いにより、全く影響を受けていない。図１６の参照符号は、図１９にも用いられる。
【００５０】
図１５と図１７のカット部材と比較して、図１８と図２０のカット部材は、単に、追加側面領域４のダストフラップ１８が変形されているだけである。具体的には、ダストフラップ１８は、実質的に直線状ではなく、その代わりに斜めに、上面と底面の方向に追加側面領域４を延長する。
【００５１】
その結果として、これらのダストフラップ１８を適合させるために、上フラップ７と底フラップ１５はなお実質的にＴ形状ではあるが、対応する側面３の方向に斜めに延び、（図１５のように）より曲線の凹部のためではない実質的に台形のくびれを備える。上フラップ５，６と底フラップ１３，１４は、図１５に示すような実質的な矩形状ではなく、代わりにそれぞれ、それらの自由端の方向により狭くなり、前面２と裏面１０の境をなす領域において、活字のひげ飾りのような拡張部２２を含む。
【００５２】
先に既にそれとなく言ったように、図２１〜２８は、図１８と図２０のカット部材と図１９の内部フレームとを用いた、折り曲げステップ又は折り曲げ順序を描写又は記述している。
【００５３】
先に既に示したように、２つの折り曲げ動作がある。すなわち、第１の折り曲げ動作は、保管と積み重ねに利用できる又は包装機にカット部材を運べるように、折り曲げ可能なカット部材を折り曲げる動作であり、第２の折り曲げ動作は、２つの連続する折り曲げステップの間の折り曲げ動作中に内容物が満たされた箱を完成させる動作である。
【００５４】
図２１〜２８において、先の図と同じ参照符号は、同じ構成要素に用いられるが、図２１〜２８においては特に、明確にするために各事例において、少しの参照符号のみ、すなわち、具体的にはそれぞれの折り曲げステップを説明するのに絶対的に必要な参照符号のみが用いられる。
【００５５】
図２１〜２２は、図２０の折り曲げ可能なカット部材を示す。すなわち、図２２のような折り曲げ可能なカット部材を保管し積み重ねるための折りたたまれた状態を作る２つの折り曲げステップにより、図２０の折り曲げ可能なカット部材を内側の上方に折り曲げた状態を示す。
【００５６】
図２１に示すように、この目的のために、まず、一方で裏面１０に隣接する追加側面領域４と接着フラップ１９と共に裏面１０が起こされ又は折り曲げられ、他方で、折り曲げ可能なカット部材の他方で側面３と側面３に隣接する追加側面領域４とが同様に起こされ又は折り曲げられる。前面２は追加側面領域４と追加側面領域４に隣接する１つの側面３と共に、基板上に平らに横たわったままである。
【００５７】
それから、図２１のように程度の差はあるが最初に起こされたカット部材の領域は、基板上の平らなままの領域の内側に折り曲げられ、カット部材の全体は、積み重ねが可能な、完全な平面の二重の層形状を得る。同様に、図１９の内部フレーム２０は、図２３から明らかなように、平面で、二重の層で、且つ積み重ねられやすい形状に、まとめられる。
【００５８】
図２４は、上述した第２の折り曲げ動作、すなわち、完成した箱を作るときの描写を示している。図２４に示されるように、最初に、カット部材の片側の接着フラップ１９をカット部材の反対側の追加側面領域４に接着接合することにより、図２０のカット部材から管形状が形成される。上面と底面は開放されたままである。図２２に従って管形状を構成するときは、最初に、カット部材は一時的に図２２の保管位置から図２１の折り曲げ状態に戻される。
【００５９】
図２５において、底面１２は閉じられる。側面３の底フラップ１５はすでに内側に折り曲げられており、前面２と裏面１０の底フラップ１３、１４がさらに閉じられる。その後、底１２を永久閉鎖するために、底フラップは互いに接着接合される。底面のダストフラップ１８は、図２５の内側にすでに折り曲げられており、底フラップ１５の下にあるためもはや見えない。
【００６０】
図２６において、底は閉じられており、図２６の状態にまで組み立てられた箱は底面を下にして置かれているので、図２６において、底の方はもはや見えない。上面１はまだ開放されているので、図２６のように折り曲げられた状態において、開放されている上フラップ１を通って、内容物を箱に詰め込むことができる。上面は、その後に閉じられる。図２６に示されるように、上フラップ５〜７がまだ開放されている状態で、すでにダストフラップ１８は内側に折り曲げられている。
【００６１】
図２７においても、上フラップ７が内側に折り曲げられ、ダストフラップ１８が見えないようにして、上面１は閉じられている。上フラップ５及び６は、まだ開放された状態である。図２８において、内容物が詰め込まれた箱は完全に閉じられる。特に、上フラップ５と６が閉じられて、互いに接着接合される。
【００６２】
箱を開放して内容物を取り出すとき、開封帯８のつまみ１１を掴んで、開封帯８を全て引き剥がさなければならない。これにより、フィルムヒンジ２１により回転が可能な前述のヒンジで連結された上面が形成される。これは、図２９に示されている。内部フレーム２０の上部は、上面が回転することにより現れる開口から突き出る。ヒンジで連結された上面の再閉鎖が可能である。ヒンジで連結された上面が閉鎖されるとき、内部フレーム２０の突きだした部分はヒンジで連結された上面をその閉鎖した状態に維持するのに必要な摩擦接触を確実にする。しかしながら、フィルムヒンジの領域において用いられる材料の固有の弾力性により、ヒンジで連結された上面は、少し開口を開けるかもしれない。それ故、ヒンジで連結された上面の再閉鎖をより確実にするために、さらにスナップ／戻り止め連結部を、特に前面２及び／又は側面３の領域内に設けても良い。スナップ／戻り止め連結部は、さらに又はこれに代えて、内部フレーム２０の対応する領域２’又は３’内に設けても良い。
【００６３】
典型的な実施形態が図示されており、さらなる発明の特徴が典型的な実施形態から明らかであるが、本発明の保護の範囲は典型的な実施形態に限定されない。
【図面の簡単な説明】
【００６４】
【図１】本発明の箱の斜視図
【図２】図１の箱の正面図
【図３】図１の箱の背面図
【図４】図１の箱の側面図
【図５】図１の箱の第２の側面図
【図６】図１の箱の上面図
【図７】図１の箱の底面図
【図８】キャリングハンドルとして弓形の取っ手を備えた本発明の箱の斜視図
【図９】図８の箱の正面図
【図１０】図８の箱の背面図
【図１１】図８の箱の側面図
【図１２】図８の箱の第２の側面図
【図１３】図８の箱の上面図
【図１４】図８の箱の底面図
【図１５】図１に示す箱の折り曲げ可能なカット部材の第１の典型的な実施形態の上面図
【図１６】図１５の折り曲げ可能なカット部材に合致する、図１の箱の内部フレーム用の折り曲げ可能なカット部材の上面図
【図１７】図１５の折り曲げ可能なカット部材の内側の斜視図
【図１８】図２８の箱の折り曲げ可能なカット部材の第２の典型的な実施形態の上面図
【図１９】図１８の折り曲げ可能なカット部材に合致する内部フレームの上面図
【図２０】図１８の折り曲げ可能なカット部材の内側の斜視図
【図２１】図２０の折り曲げ可能なカット部材が折り曲げられた状態を示す図
【図２２】図２０及び図２１の折り曲げ可能なカット部材が保管に適するように折り曲げられた状態を示す図
【図２３】図１９の内部フレームが保管に適するように折り曲げられた状態を示す図
【図２４】図２０のカット部材から形成され、接着接合され、図１の箱の本体を構成する管形状の斜視図
【図２５】底面が部分的に閉じられた状態の図２４の管形状を示す図
【図２６】内容物を詰め込むために、底面（不可視）が閉じられ且つ上面が開放された状態の図２５の管形状の直立した状態を示す斜視図
【図２７】上面が部分的に閉じられた状態の図２６の箱の管形状又は箱を示す図
【図２８】上面が完全に閉じられた状態で、図１に対応する図２７の箱を示す図
【図２９】ヒンジで連結された上面が開放された状態の図２８の箱を示す図
【図１】
2008505817.tif 000003
【図２】
2008505817.tif 000004
【図３】
2008505817.tif 000005
【図４】
2008505817.tif 000006
【図５】
2008505817.tif 000007
【図６】
2008505817.tif 000008
【図７】
2008505817.tif 000009
【図８】
2008505817.tif 000010
【図９】
2008505817.tif 000011
【図１０】
2008505817.tif 000012
【図１１】
2008505817.tif 000013
【図１２】
2008505817.tif 000014
【図１３】
2008505817.tif 000015
【図１４】
2008505817.tif 000016
【図１５】
2008505817.tif 000017
【図１６】
2008505817.tif 000018
【図１７】
2008505817.tif 000019
【図１８】
2008505817.tif 000020
【図１９】
2008505817.tif 000021
【図２０】
2008505817.tif 000022
【図２１】
2008505817.tif 000023
【図２２】
2008505817.tif 000024
【図２３】
2008505817.tif 000025
【図２４】
2008505817.tif 000026
【図２５】
2008505817.tif 000027
【図２６】
2008505817.tif 000028
【図２７】
2008505817.tif 000029
【図２８】
2008505817.tif 000030
【図２９】
2008505817.tif 000031
【国際調査報告】
2008505817.tif 000032
2008505817.tif 000033
2008505817.tif 000034
2008505817.tif 000035
2008505817.tif 000036
2008505817.tif 000037